(57)【要約】      （修正有）【課題】遮断器が遮断された場合の開閉器制御装置を提供する。【解決手段】第１及び第２分散型電源が接続されている電力線における第１及び第２分散型電源の間の第１位置に設けられており、第１位置の電圧に応じて電力線における第１及び第２分散型電源の間を遮断する第１遮断器、を制御する遮断器の制御装置であって、電力線で事故が発生した際に、電力線における第１及び第２分散型電源よりも上流側の第２位置に設けられている第２遮断器が電力線の第２位置を遮断したとき、第１位置の電圧の有無を検出する検出装置と、第１位置の電圧が有ることを検出装置が検出したときに、電力線における第１及び第２分散型電源の間が遮断されるように第１遮断器を制御する制御装置と、を備える。【選択図】図１
2016136806.tif 000002
【特許請求の範囲】
【請求項１】
第１及び第２分散型電源が接続されている電力線における前記第１及び第２分散型電源の間の第１位置に設けられており、前記第１位置の電圧に応じて前記電力線における前記第１及び第２分散型電源の間を遮断する第１遮断器、を制御する遮断器の制御装置であって、
前記電力線で事故が発生した際に、前記電力線における前記第１及び第２分散型電源よりも上流側の第２位置に設けられている第２遮断器が前記電力線の前記第２位置を遮断したとき、前記第１位置の電圧の有無を検出する検出装置と、
前記第１位置の電圧が有ることを前記検出装置が検出したときに、前記電力線における前記第１及び第２分散型電源の間が遮断されるように前記第１遮断器を制御する制御装置と、
を備えたことを特徴とする遮断器の制御装置。
【請求項２】
前記検出装置は、前記第１位置における電圧が所定値より大きい場合、前記第１位置に電圧があるものとして検出する
ことを特徴とする請求項１に記載の遮断器の制御装置。
【請求項３】
前記第１及び第２分散型電源と前記第１遮断器との組み合わせが前記電力線に複数設けられている場合、前記検出装置は、前記電力線の上流側から下流側へ向かう順序で、複数の前記第１位置の夫々における電圧の有無を検出する
ことを特徴とする請求項１に記載の遮断器の制御装置。
【請求項４】
前記第１及び第２分散型電源と前記第１遮断器との組み合わせが前記電力線に複数設けられている場合、前記検出装置は、複数の前記第１位置の電圧の有無を並列的に検出する
ことを特徴とする請求項１に記載の遮断器の制御装置。
【発明の詳細な説明】
【技術分野】
【０００１】
本発明は、遮断器の制御装置に関する。
【背景技術】
【０００２】
例えば、配電線に設けられ、配電線の電圧が無い場合に開く開閉器が知られている（例えば特許文献１）。
【先行技術文献】
【特許文献】
【０００３】
【特許文献１】特開２００９-６５７９９号公報
【発明の概要】
【発明が解決しようとする課題】
【０００４】
ところで、例えば、特許文献１の開閉器を含め、配電線の電圧が無い場合に開く開閉器は、配電線における事故が発生した際に上流側から配電線に対して供給される電力を遮断する遮断器の下流側に設けられることがある。例えば、配電線における遮断器の下流側に対して分散型電源から電力が供給されている場合、配電線で事故が発生して上流側から配電線に対して供給される電力が遮断器によって遮断されているにも関わらず、配電線の電圧が無くならないことがある。この場合、配電線で事故が発生したにも関わらず、開閉器が開かなくなる虞がある。
【０００５】
そこで、本発明は、遮断器が遮断された場合、遮断器の下流側に設けられている第１及び第２分散型電源の間を遮断する遮断器の制御装置を提供することを目的とする。
【課題を解決するための手段】
【０００６】
前述した課題を解決する主たる本発明は、第１及び第２分散型電源が接続されている電力線における前記第１及び第２分散型電源の間の第１位置に設けられており、前記第１位置の電圧に応じて前記電力線における前記第１及び第２分散型電源の間を遮断する第１遮断器、を制御する遮断器の制御装置であって、前記電力線で事故が発生した際に、前記電力線における前記第１及び第２分散型電源よりも上流側の第２位置に設けられている第２遮断器が前記電力線の前記第２位置を遮断したとき、前記第１位置の電圧の有無を検出する検出装置と、前記第１位置の電圧が有ることを前記検出装置が検出したときに、前記電力線における前記第１及び第２分散型電源の間が遮断されるように前記第１遮断器を制御する制御装置と、を備える。
【０００７】
本発明の他の特徴については、添付図面及び本明細書の記載により明らかとなる。
【発明の効果】
【０００８】
本発明によれば、遮断器が遮断された場合、遮断器の下流側に設けられている第１及び第２分散型電源の間を遮断することが可能になる。
【図面の簡単な説明】
【０００９】
【図１】本実施形態に係る遮断器の制御装置が適用される配電系統の一例を示す図である。
【図２】本実施形態に係る遮断器の制御装置のハード構成を示すブロック図である。
【図３】本実施形態に係る遮断器の制御装置の機能を示すブロック図である。
【図４】本実施形態に係る遮断器の制御装置の動作を示すフローチャートである。
【発明を実施するための形態】
【００１０】
本明細書および添付図面の記載により、少なくとも以下の事項が明らかとなる。
【００１１】
＝＝＝配電系統＝＝＝
以下、図１を参照して、本実施形態における配電系統について説明する。図１は、本実施形態に係る遮断器の制御装置が適用される配電系統の一例を示す図である。
【００１２】
配電系統１００は、母線Ｌ２、配電線Ｌ１（電力線）、配電用変圧器１０１、遮断器ＣＢ（第２遮断器）、開閉器ＳＷ１乃至ＳＷ４（第１遮断器）、需要家１０乃至３０、開閉制御装置４（遮断器の制御装置）を有する。
【００１３】
配電用変圧器１０１は、母線Ｌ２に供給されている例えば６６ｋＶの電圧を６．６ｋＶに降圧して、当該降圧された６．６ｋＶの電圧を配電線Ｌ１に供給する。配電用変圧器１０１の一次側は母線Ｌ２に接続され、配電用変圧器１０１の二次側は配電線Ｌ１に接続されている。尚、配電用変圧器１０１の二次側には、複数の配電線が接続されていることとしてもよいが、説明の便宜上、配電線Ｌ１が接続されていることとする。
【００１４】
遮断器ＣＢ、開閉器ＳＷ１乃至ＳＷ４は、配電線Ｌ１に設けられており、配電線Ｌ１における遮断器ＣＢ、開閉器ＳＷ１乃至ＳＷ４が設けられている位置夫々を開閉する。
【００１５】
需要家１０乃至３０は、配電線Ｌ１における所定位置に設けられる。尚、配電線Ｌ１には、需要家が複数設けられているが、説明の便宜上、需要家１０乃至３０が設けられていることとする。尚、配電線Ｌ１における遮断器ＣＢと開閉器ＳＷ１との間に需要家が設けられることとしてもよい。
【００１６】
開閉制御装置４は、開閉器ＳＷ１乃至ＳＷ４を制御する装置である。
【００１７】
＝＝＝遮断器、開閉器＝＝＝
以下、図１を参照して、本実施形態における遮断器及び開閉器について説明する。
【００１８】
＜遮断器＞
遮断器ＣＢは、配電線Ｌ１における開閉器ＳＷ１乃至ＳＷ４よりも上流側に設けられている。遮断器ＣＢは、配電線Ｌ１で事故が発生した場合に、配電線Ｌ１における遮断器ＣＢが設けられている位置を遮断する。尚、配電線Ｌ１での事故とは、例えば、配電線Ｌ１における短絡事故、地絡事故等を示す。遮断器ＣＢは、例えば、配電線Ｌ１で事故が発生したことを検出する継電器によって制御される。
【００１９】
例えば、配電線Ｌ１で事故が発生した場合、遮断器ＣＢは、配電線Ｌ１における遮断器ＣＢが設けられている位置（「遮断器位置」とも称する）を遮断する。一方、例えば、配電線Ｌ１で事故が発生していない場合、遮断器ＣＢは、配電線Ｌ１における遮断器ＣＢが設けられている位置を接続する。
【００２０】
又、遮断器ＣＢは、遮断器位置が遮断されているか接続されているかを示す遮断器情報を出力する。
【００２１】
＜開閉器＞
開閉器ＳＷ１乃至ＳＷ４は、配電線Ｌ１における遮断器ＣＢよりも下流側に設けられている。尚、配電線Ｌ１における開閉器ＳＷ１乃至ＳＷ４夫々が設けられている位置を第１乃至第４開閉器位置とも称する。開閉器ＳＷ１乃至ＳＷ４の構成は夫々同様であるので、開閉器ＳＷ１の構成についてのみ説明し、開閉器ＳＷ２乃至ＳＷ４の構成の説明については省略する。
【００２２】
開閉器ＳＷ１は、配電線Ｌ１における第１開閉器位置の近傍の位置（「第１測定位置」とも称する）の電圧の有無に基づいて、第１開閉器位置を遮断する。尚、第１測定位置は、第１開閉器位置も含むこととしてもよい。尚、開閉器ＳＷ２乃至ＳＷ４夫々における、開閉器ＳＷ１の第１測定位置に対応する位置を夫々、第２乃至第４測定位置とも称する。
【００２３】
例えば、第１測定位置の電圧が無い場合、開閉器ＳＷ１は、第１開閉器位置を遮断する。一方、例えば、第１測定位置の電圧が有る場合、開閉器ＳＷ１は、第１開閉器位置を接続する。
【００２４】
尚、第１測定位置の電圧が無いとは、例えば、第１測定位置の電圧の値が所定値（０より大きい値）よりも小さいことを示し、第１測定位置の電圧が有るとは、例えば、第１測定位置の電圧の値が当該所定値よりも大きいことを示していることとしてもよい。更に、これらの第１測定位置の電圧の有無については開閉器ＳＷ１が判断し、当該判断結果に基づいて開閉器ＳＷ１が第１開閉器位置を遮断又は接続することとしてもよい。尚、開閉器ＳＷ１は、第１測定位置の電圧を測定し、測定結果に基づいて電圧の有無について判断することとする。又、開閉器ＳＷ１は、測定された第１測定位置の電圧の値を示す測定情報を出力することとする。
【００２５】
＝＝＝需要家＝＝＝
以下、図１を参照して、本実施形態における需要家について説明する。
【００２６】
需要家１０は、配電線Ｌ１における開閉器ＳＷ１及びＳＷ２の間に接続される。尚、配電線Ｌ１における需要家１０が接続されている位置を接続位置Ｐ１とも称する。需要家１０は、変圧器１１、負荷１４、分散型電源１２、単独運転検出装置１３を有する。
【００２７】
負荷１４は、電力負荷であり、配電線Ｌ１及び分散型電源１２から電力が供給される。
【００２８】
分散型電源１２は、発電電力に応じて電力を出力する例えば太陽光発電装置、風力発電装置等である。分散型電源１２から出力された電力は、負荷１４に供給される。分散型電源１２から出力された電力量が、負荷１４の消費電力量よりも多い場合、分散型電源１２から出力された電力量と負荷１４の消費電力量との差分に対応する電力量の電力が、需要家１０から配電線Ｌ１に対して供給される。尚、需要家１０から配電線Ｌ１に対して供給される電力を逆潮流とも称する。
【００２９】
単独運転検出装置１３は、分散型電源１２が単独運転状態であることを検出する。更に、単独運転検出装置１３は、分散型電源１２が単独運転状態であることが検出された場合、分散型電源１２を停止させる。
【００３０】
分散型電源１２が単独運転状態であるとは、配電線Ｌ１に対して配電用変圧器１０１から電力が供給されていないにも関わらず、分散型電源１２が発電を行っている状態を示す。つまり、分散型電源１２が単独運転状態であるとは、遮断器ＣＢが遮断器位置を遮断しているにも関わらず、分散型電源１２が発電を行い分散型電源１２から出力される電力が例えば負荷１４に供給されている状態を示す。分散型電源１２が単独運転状態となっている場合、負荷１４に供給される電圧の値を所定範囲内（例えば、９５Ｖ以上１０７Ｖ以下）に維持できなくなる虞があるので、単独運転検出装置１３は、分散型電源１２の発電を停止させる。
【００３１】
単独運転検出装置１３は、例えば所定時間毎に接続位置Ｐ１に対して検出信号を出力して、当該検出信号に基づく接続位置Ｐ１の電圧及び周波数の変動量に基づいて、分散型電源１２が単独運転状態であることを検出する、いわゆる能動方式を用いて単独運転状態を検出することとしてもよい。又、単独運転検出装置１３は、例えば接続位置Ｐ１の電圧及び周波数の変動を検出し、検出された変動量に基づいて、分散型電源１２が単独運転状態であることを検出する、いわゆる受動方式を用いて単独運転状態を検出することとしてもよい。
【００３２】
尚、需要家２０及び３０の構成は夫々、需要家１０の構成と同様である。つまり、変圧器２１及び３１、負荷２４及び３４、分散型電源２２及び３２、単独運転検出装置２３及び３３の構成は夫々、変圧器１１、負荷１４、分散型電源１２、単独運転検出装置１３の構成と同様である。
【００３３】
＝＝＝単独運転検出装置の検出感度＝＝＝
以下、図１を参照して、本実施形態における単独運転検出装置の検出感度について説明する。
【００３４】
分散型電源１２が単独運転状態であることを検出する単独運転検出装置１３の検出感度は、遮断器ＣＢが遮断器位置を遮断した後、配電線Ｌ１における接続位置Ｐ１に対して電気的に接続されている分散型電源の数が増大するにつれて低下する虞がある。
【００３５】
例えば、遮断器ＣＢが遮断器位置を遮断した後に第１乃至第４開閉器位置が接続された状態（「第１状態」とも称する）における単独運転検出装置１３の検出感度は、遮断器ＣＢが遮断器位置を遮断した後に第１乃至第４開閉器位置が遮断された状態（「第２状態」とも称する）における単独運転検出装置１３の検出感度よりも低くなることがある。この第１状態の検出感度が第２状態の検出感度よりも低くなることがあるのは、例えば、第１状態において需要家２０、３０から配電線Ｌ１に対して逆潮流により電力が供給されて、当該電力が接続位置Ｐ１に供給されることにより、遮断位置が遮断されたことによる接続位置Ｐ１の電圧及び周波数の変動量が低下することに基づくものである。又、単独運転検出装置１３が能動方式の場合、この第１状態の検出感度が第２状態の検出感度よりも低くなることがあるのは、例えば、出力された検出信号に対する接続位置Ｐ１の電圧及び周波数の変動量が、第２状態の場合に比べて第１状態の場合は小さくなることに基づくものである。
【００３６】
ここで、開閉器ＳＷ１乃至ＳＷ４は、前述したように、第１乃至第４測定位置の電圧の値に基づいて遮断する。例えば、需要家１０乃至３０で逆潮流が発生していない場合、遮断位置が遮断された後、第１乃至第４測定位置の電圧の値が所定値より小さくなって、開閉器ＳＷ１乃至ＳＷ４は遮断する。一方、例えば、需要家１０乃至３０で逆潮流が発生しており、且つ、当該逆潮流の量が所定量よりも多い場合、遮断位置が遮断された後、第１乃至第４測定位置の電圧の値が所定値より小さくならずに、開閉器ＳＷ１乃至ＳＷ４の何れかが遮断しないことがある。
【００３７】
以上より、単独運転検出装置１３の検出感度を向上させるためには、遮断位置が遮断された時、第１乃至第４開閉器位置が遮断されるように開閉器ＳＷ１乃至ＳＷ４を制御する必要がある。
【００３８】
＝＝＝開閉制御装置＝＝＝
以下、図２及び図３を参照して、本実施形態における開閉制御装置について説明する。図２は、本実施形態に係る遮断器の制御装置のハード構成を示すブロック図である。図３は、本実施形態に係る遮断器の制御装置の機能を示すブロック図である。
【００３９】
開閉制御装置４は、ＣＰＵ（Central Processing Unit）４１、通信装置４２、記憶装置４３、表示装置４４、入力装置４５を有する。ＣＰＵ４１は、記憶装置４３に記憶されているプログラムを実行することにより開閉制御装置４の各種機能を実現し、開閉制御装置４を統括制御する。記憶装置４３には、前述のプログラム、各種情報が記憶されている。表示装置４４は、開閉制御装置４の情報を表示するディスプレイである。入力装置４５は、開閉制御装置４に対して情報を入力するための例えばキーボード、マウス等である。通信装置４２は、通信線Ｌ１０１、Ｌ１０２を介して遮断器ＣＢ、開閉器ＳＷ１乃至ＳＷ４との間で通信を行う。
【００４０】
開閉制御装置４は、更に、事故検出部４６、電圧判定部４７（検出装置）、制御部４８（制御装置）（「開閉制御装置４の各種機能」とも称する）を有する。尚、開閉制御装置４の各種機能は、記憶装置４３に記憶されているプログラムのＣＰＵ４１による実行により実現される。
【００４１】
事故検出部４６は、遮断器ＣＢから出力される遮断器情報を受信して、当該遮断器情報に基づいて、配電線Ｌ１で事故が発生したことを検出する。例えば、遮断器位置が遮断されていることを遮断器情報が示している場合、事故検出部４６は、配電線Ｌ１で事故が発生したことを検出する。一方、例えば、遮断位置が接続されていることを遮断器情報が示している場合、事故検出部４６は、配電線Ｌ１で事故が発生したことを検出しない。
【００４２】
電圧判定部４７は、配電線Ｌ１で事故が発生したことを事故検出部４６が検出した場合、第１乃至第４測定位置夫々の電圧の有無を判定する。電圧判定部４７は、開閉器ＳＷ１乃至ＳＷ４から送信される測定情報を受信して、受信した測定情報が示す第１乃至第４測定位置の電圧に基づいて、第１乃至第４測定位置夫々の電圧の有無を判定する。
【００４３】
例えば、第１測定位置の電圧の値が所定値（０より大きい値）よりも小さい場合、第１測定位置の電圧が無いと電圧判定部４７が判定し、第１測定位置の電圧の値が当該所定値よりも大きい場合、第１測定位置の電圧が有ると電圧判定部４７が判定することとしてもよい。尚、電圧判定部４７は、第１測定位置の電圧の有無の判定と同様にして、第２乃至第４測定位置の電圧の有無の判定を行うこととしてもよい。又、電圧判定部４７が第１乃至第４測定位置夫々の電圧の有無を判定する構成は、開閉器ＳＷ１が第１測定位置の電圧の有無を判断する構成と同様であることとしてもよい。
【００４４】
制御部４８は、電圧判定部４７の判定結果に基づいて、開閉器ＳＷ１乃至ＳＷ４を制御する。制御部４８は、第１乃至第４測定位置における電圧が有ると電圧判定部４７に判定された測定位置に対応する第１乃至第４開閉器位置が遮断されるように、開閉器ＳＷ１乃至ＳＷ４を制御する。
【００４５】
例えば、第１測定位置における電圧が有ると電圧判定部４７に判定された場合、制御部４８は、第１開閉器位置が遮断されるように開閉器ＳＷ１を制御する。つまり、この場合、制御部４８は、開閉器ＳＷ１を開く。又、例えば、第２乃至第４測定位置夫々における電圧が有ると電圧判定部４７に判定された場合、制御部４８は、開閉器ＳＷ２乃至ＳＷ４を開く。
【００４６】
ここで、電圧判定部４７は、第１乃至第４測定位置について所定の順序に従って、電圧の有無を判定することとする。所定の順序とは、例えば、上流側から下流側に向かう順序（「第１順序」とも称する）、つまり、第１測定位置、第２測定位置、第３測定位置、第４測定位置の順序であることとしてもよい。又、所定の順序は、例えば、分散型電源１２、２２、３２夫々の発電容量に基づいて定められており、当該順序を示す情報が入力装置４５を介して開閉制御装置４に入力されることとしてもよい。
【００４７】
又、制御部４８は、電圧が有ることを電圧判定部４７が判定する毎に、電圧が有ると電圧判定部４７に判定された測定位置に対応する開閉器を開くこととしてもよい。又、制御部４８による開閉器ＳＷ１乃至ＳＷ４の開閉の制御は、例えば、制御部４８から開閉器ＳＷ１乃至ＳＷ４に送信させる制御信号に基づいて行われることとしてもよい。
【００４８】
＝＝＝動作＝＝＝
以下、図４を参照して、本実施形態における開閉制御装置の動作について説明する。図４は、本実施形態に係る遮断器の制御装置の動作を示すフローチャートである。
【００４９】
事故検出部４６が配電線Ｌ１で事故が発生したことを検出した場合、開閉制御装置４は、開閉器ＳＷ１から受信した測定情報に基づいて、第１乃至第４測定位置の電圧を確認する（Ｓ１）。開閉制御装置４は、第１乃至第４測定位置の電圧の有無を判定する（Ｓ２）。例えば、第１乃至第４測定位置全ての電圧が無いと判定された場合（Ｓ２のＮＯ）、開閉制御装置４は、制御動作を終了する。例えば、第１乃至第４測定位置の電圧の内の何れかにおいて電圧が有ると判定された場合（Ｓ２のＹＥＳ）、開閉制御装置４は、電圧が有ると判定された測定位置に対応する開閉器を開いた（Ｓ３）後、Ｓ１の動作及びＳ２の判断を再度行う。
【００５０】
尚、前述したように、開閉制御装置４が、第１乃至第４測定位置について所定の順序に従って、電圧の有無を判定し、電圧が有ることを判定する毎に、電圧の有ると判定された測定位置に対応する開閉器を開くこととしてもよい。
【００５１】
前述したように、開閉器制御装置４は、例えば開閉器ＳＷ２を制御する。開閉器ＳＷ２は、分散型電源１２及び２２が接続されている配電線Ｌ１における分散型電源１２及び２２の間の第２開閉器位置に設けられている。開閉器ＳＷ２は、第２測定位置の電圧に応じて配電線Ｌ１における分散型電源１２及び２２の間の第２開閉器位置を遮断する。開閉器制御装置４は、電圧判定部４７、制御部４８を有する。電圧判定部４７は、配電線Ｌ１で事故が発生した際に、配電線Ｌ１における分散型電源１２及び２２よりも上流側の遮断器位置に設けられている遮断器ＣＢが配電線Ｌ１の遮断器位置を遮断したとき、第２測定位置の電圧の有無を判定（検出）する。第２測定位置の電圧が有ることを電圧判定部４７が判定（検出）したときに、制御部４８は、第２開閉器位置が遮断されるように開閉器ＳＷ２を制御する。配電線Ｌ１で事故が発生した際に、第２開閉器位置を確実に遮断することができる。よって、例えば、配電線Ｌ１における開閉器ＳＷ２の下流側から上流側に向かって、逆潮流に基づく電力が供給されるのが防止される。従って、例えば、単独運転検出装置１３の検出感度を向上させることができる。又、配電線Ｌ１で事故が発生した際に、分散型電源１２、２２、３２の発電を確実に停止させることができるので、事故対応のために配電線Ｌ１に関する作業を行う作業員による感電事故が引き起こされるのを防止することができる。又、単独運転検出装置１３の感度を向上させるために、配電系統１００において煩雑な制御を行う必要がないために、配電系統１００を制御するためのコストを低減させることができる。
【００５２】
又、上流側の分散型電源と当該上流側の分散型電源に隣り合っている下流側の分散型電源と当該上流側及び下流側の分散型電源の間に設けられている開閉器とを含む組み合わせは、配電線Ｌ１の上流側から下流側に亘って複数設けられている。つまり、開閉器ＳＷ２と分散型電源１２及び２２の組み合わせと、開閉器ＳＷ３と分散型電源２２及び３２の組み合わせとが、配電線Ｌ１の上流側から下流側に亘って設けられている。電圧判定部４７は、第１乃至第４測定位置夫々の電圧の有無を所定の順序に従って判定（検出）する。制御部４８は、第１乃至第４測定位置の電圧が有ることを電圧判定部４７が判定（検出）したとき、当該判定された測定位置に対応する開閉器位置が遮断されるように、開閉器ＳＷ１乃至ＳＷ４を制御する。よって、例えば、遮断位置が遮断された後に電圧の値が所定値より小さくなりにくい測定位置の電圧の有無が、優先的に検出されるようにすることができる。尚、遮断位置が遮断された後に電圧の値が所定値より小さくなりにくい測定位置については、配電線Ｌ１に接続されている各分散型電源の発電容量等に基づいて定められることとしてもよい。従って、検出感度が低下しやすい単独運転検出装置の検出感度を向上させることができる。よって、配電系統１００において分散型電源１２、２２、３２が単独運転状態となるのを確実に防止することができる。
【００５３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５４】
尚、上記実施形態においては、電圧判定部４７が第１乃至第４測定位置について所定の順序に従って、電圧の有無を判定することについて説明したが、これに限定されるものではない。例えば、ＣＰＵ４１としてマルチプロセッサが用いられており、電圧判定部４７が第１乃至第４測定位置の電圧の有無を並列的に判定することとしてもよい。更に、電圧判定部４７の判定結果に基づいて、制御部４８が開閉器ＳＷ１乃至ＳＷ４を同時に制御することとしてもよい。つまり、例えば、第１及び第３測定位置の電圧が有ると電圧判定部４７が判定した場合、制御部４８は、開閉器ＳＷ１及びＳＷ３に対して同時に制御信号としての遮断信号を出力して開閉器ＳＷ１及びＳＷ３を同時に開くこととしてもよい。この場合、配電線Ｌ１に対して複数設けられている単独運転検出装置１３、２３、３３の検出感度を比較的短時間で向上させることができる。
【００５５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５６】
４  開閉制御装置
１０、２０、３０  需要家
１２、２２、３２  分散型電源
１３、２３、３３  単独運転検出装置
１４、２４、３４  負荷
４１  ＣＰＵ
４２  通信装置
４３  記憶装置
４４  表示装置
４５  入力装置
４６  事故検出部
４７  電圧判定部
４８  制御部
１００  配電系統
ＣＢ  遮断器
ＳＷ１〜ＳＷ４  開閉器
【図１】
2016136806.tif 000003
【図２】
2016136806.tif 000004
【図３】
2016136806.tif 000005
【図４】
2016136806.tif 000006